(57)【要約】本発明は、各種調理用容器または加熱容器の溢れ防止用容器蓋に関するものであって、容器蓋の取っ手に溢れ防止手段を備え、内容物入りの容器を加熱したときに内容物が容器の外に溢れるのを防止し得るようにすることにより、例えばガスレンジなどの加熱手段によって起こる安全事故を予め防止し、内容物の氾濫によって加熱手段が汚くなるか毀損されることを防止するようにした溢れ防止用容器蓋に提供する。すなわち、本発明は、 加熱容器（２３）の蓋本体（２）に設けられた貫通孔（２ａ）の上下側に一側に蒸気排出口（６）が設けられた取っ手（３）と、前記貫通孔（２ａ）に連通する孔が穿孔された固定板（４）を固定手段（５）によって固定した溢れ防止用容器蓋（１）において、前記蓋本体（２）に設けられた貫通孔（２ａ）を密閉する環状パッキング（１１ａ）が結合した蓋板（１１）と一体に設けた自動開閉具（９）と、前記自動開閉具（９）が昇降されるように取っ手（３）に設けた昇降孔（７）と、温度の変化に応じて前記自動開閉具（９）を昇降させ、蓋本体（２）に設けられた貫通孔（２ａ）を開放するようにする、蓋本体（２）または固定板（４）と自動開閉具（９）に設置した昇降手段（１２）とを含み、昇降手段（１２）として、板ばねバイメタルからなる感知片（１４）または永久磁石（２６）などを適用したものである。本発明によれば、加熱容器（３４）内の水蒸気の排出を制御して加熱容器（３４）内の内容物の氾濫を防止するようにし、同時に溢れる内容物による加熱手段の毀損及び汚染を防止するようにし、ガス漏れまたは爆破などの安全事故を防ぐことができ、昇降手段（１２）によって自動的に作動する自動開閉具の作動時点をばね調節具（２５）で簡便に調節することができるので、多様な調理物の調理に容易に適用することができる。【選択図】  図２
2008500930.tif 000002
【特許請求の範囲】
【請求項１】
加熱容器の蓋本体（２）に設けられた貫通孔（２ａ）の上下側に一側に蒸気排出口（６）が設けられた取っ手（３）と、前記貫通孔（２ａ）に連通する孔が穿孔された固定板（４）を固定手段（５）によって固定した溢れ防止用容器蓋（１）において、
前記蓋本体（２）に設けられた貫通孔（２ａ）を密閉する環状パッキング（１１ａ）が結合した蓋板（１１）と一体に設けた自動開閉具（９）と、前記自動開閉具（９）が昇降されるように取っ手（３）に設けた昇降孔（７）と、温度の変化に応じて前記自動開閉具（９）を昇降させ、蓋本体（２）に設けられた貫通孔（２ａ）を開放するようにする、蓋本体（２）または固定板（４）と自動開閉具（９）に設置した昇降手段（１２）とを含むことを特徴とする、溢れ防止用容器蓋。
【請求項２】
前記自動開閉具（９）に設けたスライド溝（９ｂ）と、前記スライド溝（９ｂ）に対応する取っ手（３）の昇降孔（７）に設けたスライド突起（７ａ）とを含むことを特徴とする、請求項１に記載の溢れ防止用容器蓋。
【請求項３】
前記自動開閉具（９）の内側に設けられた内入孔（９ａ）と、前記内入孔（９ａ）に結合するように固定板（４）の中心に一体に形成され、蓋本体（２）の中心を貫通する中空環棒（８）とを含むことを特徴とする、請求項１または２に記載の溢れ防止用容器蓋。
【請求項４】
前記中空環棒（８）の上側には、自動開閉具（９）を弾支する補助ばね（１０）をさらに付加したことを特徴とする、請求項３に記載の溢れ防止用容器蓋。
【請求項５】
前記取っ手（３）の上部に設けられたスライド溝（１８）の内側に設置したスライドストッパー（１７）と、前記スライドストッパー（１７）が結合するように自動開閉具（９）の上側に設けた内入溝（１９）とを含むことを特徴とする、請求項１または２に記載の溢れ防止用容器蓋。
【請求項６】
前記取っ手（３）の昇降孔（７）の下端に設けた受け部（２３）と、前記受け部（２３）に定着される補助ばね（１０）と、前記補助ばね（１０）を押圧するように自動開閉具（９）の上端に調節スクリュー（２４）で結合したばね調節具（２５）とを含むことを特徴とする、請求項１または２に記載の溢れ防止用容器蓋。
【請求項７】
前記取っ手（３）の昇降孔（７）の下端に設けられた受け部（２３）と、前記受け部（２３）に定着される補助ばね（１０）と、前記自動開閉具（９）の上端の外部に設けたネジ部（２９）に昇降可能に螺合したばね調節具（２５）と、取っ手（３）の上側に結合する表面にばね押圧の度合いを肉眼で確認することが可能な表示部（３２）を形成した固定カバー（３１）と、前記ばね調節具（２５）の下端に設けた固定突起（３３）と、前記ばね調節具（２５）の下端に設けた固定突起（３３）に対応するように固定カバー（３１）に設けた係止突起（３０）とを含むことを特徴とする、請求項１または２に記載の溢れ防止用容器蓋。
【請求項８】
前記昇降手段（１２）は、温度の変化に応じて上部に撓む性質を持つ板ばねバイメタルから構成した感知片（１４）からなるが、
前記感知片（１４）は、蓋板（１１）の下側とピン（１６）で回動自在に一端が固定され、他端は固定板（４）によって蓋本体（２）の下部に固定したことを特徴とする、請求項１に記載の溢れ防止用容器蓋。
【請求項９】
前記自動開閉具（９）を昇降させる昇降手段（１２）は、前記自動開閉具（９）の内部に結合した状態で上端が自動開閉具（９）と連結ピン（１３）で固定された作動軸（１５）と、前記固定板（４）によって蓋本体(２)の下部に固定した感知片（１４）と、前記作動軸（１５）の下端と感知片（１４）とを回動自在に連結するピン（１６）とから構成したことを特徴とする、請求項１に記載の溢れ防止用容器蓋。
【請求項１０】
前記感知片（１４）は、熱膨張率の異なる２つの薄い上／下部薄板（１４ａ）（１４ｂ）を接合させたバイメタルから構成するが、
前記上／下部薄板（１４ａ）（１４ｂ）のうち、上部薄板（１４ａ）は熱膨張率が低いもの、下部薄板（１４ｂ）は熱膨張率が高いものから構成し、温度が上昇すると、上部に撓むようにしたことを特徴とする、請求項８または９に記載の溢れ防止用容器蓋。
【請求項１１】
前記自動開閉具（９）を昇降させる昇降手段（１２）は、温度上昇の際に下部に撓むように蓋本体（２）の下部の固定板（４）で固定した感知片（１４）と、前記固定板（４）の下方に一側に回動自在に軸設され、前記感知片（１４）によって押圧される梃子（２０）と、前記梃子（２０）の下部に下方に突出させた押圧レバー（２１）と、前記押圧レバー（２１）によって作動するように固定板（４）の下部に角運動可能に軸設したストッパー（２２）と、前記ストッパー（２２）が係止されるように作動軸（１５）の下端部に設けた係止突起（１５ａ）とから構成したことを特徴とする、請求項１に記載の溢れ防止用容器蓋。
【請求項１２】
前記感知片（１４）は、熱膨張率の異なる２つの薄い上／下部薄板（１４ａ）（１４ｂ）を接合させたバイメタルから構成するが、
前記上／下部薄板（１４ａ）（１４ｂ）のうち、上部薄板（１４ａ）は熱膨張率が高いもの、下部薄板（１４ｂ）は熱膨張率が低いものから構成し、温度が上昇すると、下部に撓むようにしたことを特徴とする、請求項１１に記載の溢れ防止用容器蓋。
【請求項１３】
前記取っ手（３）の昇降孔（７）の下端に設けた受け部（２３）と、前記受け部（２３）に定着される補助ばね（１０）と、前記補助ばね（１０）を加圧するように自動開閉具（９）の上端に調節スクリュー（２４）で結合したばね調節具（２５）とを含み、
前記自動開閉具（９）を昇降させる昇降手段（１２）は、前記自動開閉具（９）の蓋板（１１）の下側に設置された温度感知用永久磁石（２６）と、前記永久磁石（２６）に対応する位置の固定板（４）に設置した磁性体（２７）とから構成したことを特徴とする、請求項１または２に記載の溢れ防止用容器蓋。
【請求項１４】
前記ばね調節具（２５）は、自動開閉具（９）の上端の外部に設けたネジ部（２９）に昇降可能に螺合され、
取っ手（３）の上側に結合する表面にばね押圧の度合いを肉眼で確認することが可能な表示部(３２)を形成した固定カバー（３１）と、前記ばね調節具（２５）の下端に設けた固定突起（３３）と、前記ばね調節具（２５）の下端に設けた固定突起（３３）に対応するように固定カバー（３１）に設けた係止突起（３０）とを備えたことを特徴とする、請求項１３に記載の溢れ防止用容器蓋。
【請求項１５】
前記永久磁石（２６）と前記磁性体（２７）は、複数構成したことを特徴とする、請求項１３に記載の溢れ防止用容器蓋。
【請求項１６】
前記磁性体は、蓋本体（２）に設置したことを特徴とする、請求項１３に記載の溢れ防止用容器蓋。
【発明の詳細な説明】
【技術分野】
【０００１】
本発明は、各種調理用容器または加熱容器の溢れ防止用容器蓋に係り、より詳しくは、容器蓋の取っ手に溢れ防止手段を備え、内容物入りの容器を加熱したときに内容物が容器の外に溢れることを防止することができるようにすることにより、例えばガスレンジなどの加熱手段によって起こる安全事故を予め防止し、内容物の氾濫によって加熱手段が汚くなるか毀損されることを防止するようにした溢れ防止用容器蓋に関する。
【背景技術】
【０００２】
一般に、飲食物を調理し或いはその他に洗濯物や哺乳瓶などの内容物を消毒、殺菌するとき、容器内に内容物（＝飲食物や洗濯物、哺乳瓶など）を投入し、蓋を閉じた後、例えばガスレンジや電気レンジなどの加熱手段で加熱する。この際、一定の温度以上になると、容器内の水蒸気などによって内容物が容器の外に氾濫して加熱手段を毀損及び汚染させ、加熱手段の安全事故を誘発するなどの問題が発生するため、加熱容器の蓋に、水蒸気を排出することが可能な蒸気排出孔を設けている。
【０００３】
ところが、従来の加熱容器に設けられた蒸気排出孔は、その大きさが小さくて内容物が沸き始めると、蒸気を円滑に排出することができない場合が多く、蒸気によって蓋が震えて騒音が発生し或いは内容物が溢れる事例が多いため、ユーザが蓋を容器本体から分離してこぼれを防止しているが、これは、内部の蒸気が急激に流出して内容物の加熱時間が長くなるなどの問題点があった。これを解決するための多数の手段が開示されているが、大部分が実用化されていないので、これを解決することが可能な新規な手段の開発が至急要求されている。
【発明の開示】
【０００４】
そこで、本発明者は、上述した従来の問題点を解決するために、本発明を研究開発した。すなわち、本発明では、容器の蓋に固着される取っ手に蒸気排出口を形成し、取っ手の内側には排出口を開閉する蓋板を昇降手段によって昇降可能に備え、容器内の水蒸気を排出し得るようにすることにより、蒸気の排出が円滑に行われるようにして内容物の氾濫を防止し、加熱手段が毀損されるかさらに汚くなるのを防止し、安全事故を防止することができるようにした溢れ防止用容器蓋を提供することを発明の技術的課題とし、本発明を完成した。
【０００５】
本発明では、前記技術的課題を解決する昇降手段として、次の多様な手段を使用した。
【０００６】
一つ目は、温度の変化に応じて形状が変わるバイメタル(bimetal)素材からなる感知片を蓋板の下側に設置し、温度の変化に応じて蓋板が自動的に昇降するようにした。
【０００７】
二つ目は、永久磁石の磁力が熱を加えることにより、磁力が段々減少してから常温で（熱が冷えながら）磁力が復元されることに着眼し、蓋板とこれに対応する容器蓋に磁石と磁性体を設置して温度の変化に応じて蓋板が自動的に昇降するようにした。
【発明を実施するための最良の形態】
【０００８】
以下、本発明を添付図面に基づいて詳細に説明する。
【０００９】
図１は本発明の溢れ防止用容器蓋の使用状態を示す斜視図、図２は本発明の好適な第１実施例を示す分解斜視図、図３は自動開閉具が作動する前の状態を示す、本発明の第１実施例の断面図、図４は自動開閉具が作動した後の状態を示す、本発明の第１実施例の断面図である。
【００１０】
本発明で提供する溢れ防止用容器蓋１は、図示の如く、蓋本体２の中央に左右に対向するように略半円状に貫いている貫通孔２ａを形成し、蓋本体２の上／下側には、一側に蒸気排出口６が設けられており且つ内側に昇降孔７が貫いている取っ手３と、貫通孔２ａに連通する孔が設けられている固定板４を配置してピスなどの固定手段５で固定する。
【００１１】
前記取っ手３に設けられている昇降孔７には、蓋本体２に貫いている貫通孔２ａの上側には貫通孔２ａを密閉する環状パッキング１１ａが結合した蓋板１１と一体に設けられている自動開閉具９を昇降可能に挿入する。
【００１２】
前述したように自動開閉具９を結合するに際して、より安定した作動性を保障するために、自動開閉具９の内側に設けられる内入部９ａに挿入されるように、固定板４の中央には蓋本体２の中心を貫通する中空環棒８を一体に形成し、中空環棒８には補助ばね１０を定着して自動開閉具９を弾支する。
【００１３】
前記自動開閉具９の蓋板１１が加熱容器から蒸気圧が発生するときに蒸気圧及び温度の変化によって開放されるようにするための昇降手段１２として、温度の変化に応じて一側に撓む性質を持つ板ばねバイメタルから構成した感知片１４を使用する。すなわち、自動開閉具９の上側に一字状に貫通固定される連結ピン１３によって結合する昇降手段１２の作動軸１５の下端を中空環棒８の中空８ａを介して固定板４の下方に露出させ、固定板４によって蓋本体２の下部に密着固定されている感知片１４とピン１６で回動自在に軸設する。
【００１４】
前記感知片１４は、熱膨張率の異なる２つの薄い上／下部薄板１４ａ、１４ｂを接合させた板ばねバイメタルからなり、温度が上昇すると、膨張率の差異によってその長さが異なって低膨張率の薄板１４側に撓むものである。前記感知片１４に適用される板ばねバイメタル薄板１４ａ、１４ｂの場合、上部薄板１４ａは熱膨張率が低いもの、下部薄板１４ｂは熱膨張率が高いものであって、温度が上昇すると感知片１４が上方に撓むようにして前記作動軸１５を上昇させるように構成し、特に感知片１４は常温で（熱が冷えながら）上方に突出するようにエンボス加工して、温度上昇の際に微細に跳ね返えされるようにする。
【００１５】
この際、前記中空環棒８の中空８ａの内側において作動軸１５が昇降スライドされるように構成する。
【００１６】
前記自動開閉具９が昇降手段１２によって自動的に昇降することを所望しないとき、例えば内容物のうち飯、栗などの果実類、ジャガイモ、サツマイモなどのように沸かし時間を長らく持続しなければならない場合、水蒸気が排出されないように自動開閉具９を固定するためのスライドストッパー１７を前記取っ手３の上部のスライド溝１８内に設置して自動開閉具９の上側の内入溝１９上にスライド挿入されるようにして自動開閉具９を固定し得るようにする。
【００１７】
図５は自動開閉具が作動する前の状態を示す、本発明の第２実施例の断面図 、図６は自動開閉具が作動した後の状態を示す、本発明の第２実施例の断面図であって、前記自動開閉具９の昇降幅が大きい場合、板ばねバイメタルからなる感知片１４によって作動軸１５を昇降するには足りないことを補完したものである。
【００１８】
すなわち、補助ばね１０を弾性力に優れた高弾性材質から構成して自動開閉具９を昇降するようにするが、感知片１４を上記とは反対に、上部薄板１４ａは熱膨張率が高いもの、下部薄板１４ｂは熱膨張率が低いものを配置し、上側に中央部が突出するようにして両端を前記固定板４に固定する。自動開閉具９を上方に昇降させる昇降手段１２は、感知片１４によって作動する梃子２０、及び梃子２０の作動によって回動するように固定板４に設置されているストッパー２２から構成する。
【００１９】
前記昇降手段１２は、感知片１４に対向する固定板４の部分には略四角状に中央が空いている梃子２０を回動自在に軸設し、前記梃子２０の下部には押圧レバー２１を下向きに設置し、固定板４の下部に角運動可能に軸設されたストッパー２２によって作動軸１５がストッピングされるようにし、前記作動軸１５の下端部に係止突起１５ａを形成してストッパー２２が係止されるようにすることにより、感知片４が熱膨張しながら梃子２０を押圧するとき、作動軸１５の係止突起１５ａでストッパー２２が弛緩するようにする。
【００２０】
図７は本発明の好適な第３実施例を示す分解斜視図、図８は自動開閉具が作動する前の状態を示す、本発明の第３実施例の断面図、図９は自動開閉具が作動した後の状態を示す、本発明の第３実施例の断面図である。
【００２１】
本発明で提供する第３実施例は、前述したような溢れ防止用容器蓋１の構成をさらに簡素化したものである。
【００２２】
すなわち、蓋本体２に設けられた貫通孔２ａを密閉する環状パッキング１１ａが結合した蓋板１１と一体に設けられている自動開閉具９を、取っ手３に設けられている昇降孔７に挿入するが、昇降孔７と自動開閉具９にはそれぞれスライド突起７ａとスライド溝９ｂを設けて安定性のある昇降作動が行われるようにする。
【００２３】
自動開閉具９の外側には、昇降孔７の下端に設けられている受け部２３に定着される補助ばね１０を被せる。この補助ばね１０は、自動開閉具９の上端に調節スクリュー２４によって結合するばね調節具２５に押圧されるようにする。
【００２４】
自動開閉具９を上方に移動させる昇降手段１２は、蓋板１１の下側にはブラケット１１ｂを形成し、固定板４によって蓋本体２の下部に密着固定されている熱膨張率の異なる２つの薄い上／下部薄板１４ａ、１４ｂを接合させた板ばねバイメタルからなる感知片１４の端部とピン１６で回動自在に軸設して、自動開閉具９を昇降させることができるようにしたものである。
【００２５】
前記自動開閉具９を固定するためのスライドストッパー１７を前記取っ手３の上部に設けられたスライド溝１８の内側に設置し、ばね調節具２５の上側に設けられた内入溝２５ａ上にスライドされるようにする。
【００２６】
図１０は本発明の好適な第４実施例を示す分解斜視図、図１１は自動開閉具９が作動する前の状態を示す、本発明の第４実施例の断面図、図１２は自動開閉具９が作動した後の状態を示す、本発明の第４実施例の断面図である。
【００２７】
本発明で提供する第４実施例は、本発明を構成するにおいて、自動開閉具９の昇降手段１２として、永久磁石２６の磁力が熱を加えるにつれて磁力が段々減少してから常温で（熱が冷えながら）磁力が復元されることに着目し、蓋板１１とこれに対応する容器蓋２または容器蓋２の下側に固定される固定板４に永久磁石２６と磁性体２７をそれぞれ設置し、温度の変化に応じて作動するようにしたものである。
【００２８】
すなわち、各種内容物を加熱手段で加熱するための加熱容器の蓋本体２に設けられた貫通孔２ａの上下側に、一側に蒸気排出口６が設けられた取っ手３を固定手段５によって固定した溢れ防止用容器蓋１において、蓋本体２に設けられた貫通孔２ａを密閉する環状パッキング１１ａが結合した蓋板１１と一体に設けられている自動開閉具９を取っ手３の昇降孔７に挿入し、昇降孔７と自動開閉具９にはそれぞれスライド突起７ａとスライド溝９ｂを設け、安定性のある昇降作動が行われるようにする。
【００２９】
前記自動開閉具９の外側には昇降孔７の下端に設けられている受け部２３に定着される補助ばね１０を被せる。補助ばね１０は、自動開閉具９の上端に調節スクリュー２４によって結合するばね調節具２５に押圧されるようにする。
【００３０】
そして、前記自動開閉具９を昇降させる昇降手段１２は、蓋板１１の下側に温度感知用永久磁石２６を設置し、この永久磁石に対応する蓋本体２の部分に磁性体２７を結合させる。
【００３１】
勿論、前記取っ手３とばね調節具２５には、自動開閉具９を固定するためのスライドストッパー１７と内入溝２５ａが設けられる。
【００３２】
前記温度感知用永久磁石２６は、磁力保護及び損傷などを防止する目的で薄いコーティング層（図示せず）を形成するか、軟質ゴム剤などの軟質カバー２８を被せることが好ましい
図１３は本発明の第４実施例の他の実施例を示すものであって、これは蓋板１１の縁側に少なくとも２つ以上の温度感知用永久磁石２６を設置し、この永久磁石に対応する蓋本体２の部分にそれぞれ磁性体２７を結合させたものである。
【００３３】
前記温度感知用永久磁石２６と前記磁性体２７は、製造過程においてお互い反対に結合させても構わない。
【００３４】
図１４は第４実施例の別の実施例を示すものであって、蓋本体２の下側に固定手段５によって固定板４を固定し、この固定板４に、自動開閉具９に設置される温度調節用永久磁石２６に対応する磁性体２７を設置したものである。
【００３５】
図示してはいないが、固定板４を磁性体材質で構成する場合、別に固定板に磁性体２７を設置しなくてもよい。
【００３６】
図１５は本発明の好適な第５実施例を示す分解斜視図、図１６は自動開閉具が作動する前の状態を示す、本発明の第５実施例の断面図、図１７は自動開閉具が作動した後の状態を示す、本発明の第５実施例の断面図である。
【００３７】
前記各実施例を構成するにおいて、蓋本体２に設けられた貫通孔２ａを密閉する環状パッキング１１ａが結合した蓋板１１と一体に設けられている自動開閉具９を、取っ手３に設けられている昇降孔７に挿入する。昇降孔７と自動開閉具９にはそれぞれスライド突起７ａとスライド溝９ｂを設け、安定性のある昇降作動が行われるようにし、自動開閉具９の外側には昇降孔７の下端に設けられている受け部２３に定着される補助ばね１０を被せる。そして、前記自動開閉具９の上端外部にはネジ部２９を設けてばね調節具２５を螺合するが、ばね調節具２５の下端に係止突起３０を設け、取っ手３の上側には表面にばね押圧の度合いを肉眼で確認することが可能な表示部３２が形成された固定カバー３１を結合させ、固定カバー３１にはばね調節具２５の下端に設けた係止突起３０に対応する固定突起３３を設け、ばね調節具２５の回動を制御することができるようにする。
【００３８】
図面中の未説明符号３４は加熱容器を示し、３５は加熱容器３４の容器本体を示す。
【００３９】
上述したように様々な構成からなる本発明の溢れ防止用容器蓋１は、図１に示すように、加熱容器３４の容器本体３５に適用して調理物、洗濯物、哺乳瓶などの内容物を投入し、容器蓋１を閉じた後、ガスレンジや電気レンジなどの加熱手段によって加温するとき、内部の温度が上昇するにつれて、蓋本体２の上部に固定された取っ手３側から水蒸気が排出されるようにしたものである。以下、本発明による作用などを説明する。
【００４０】
まず、第１実施例によれば、加熱容器３４に調理物などを投入した状態で容器蓋１を閉じた後、取っ手３の昇降孔７に結合している自動開閉具９を手指で押し、その後加熱手段によって加熱容器３４を加熱すればよい。
【００４１】
上述したように自動開閉具９を押すと、中空環棒８に定着されている補助ばね１０に弾支されている自動開閉具９が下方に移動しながら、板ばねバイメタルからなる感知片１４を折曲状態で下方に移動させる。この際、感知片１４は、補助ばね１０の弾性力より大きい力で自動開閉具９を引っ張るので、自動開閉具９が下方に移動して蓋板１１が蓋本体２の貫通孔２ａを密閉させるのである（図３参照）。
【００４２】
前記感知片１４は、２つの薄板１４ａ、１４ｂから構成されるが、上部薄板１４ａは熱膨張率が低くてやや伸び、下部薄板１４ｂは熱膨張率が高くて多く伸びるものであって、熱膨張が行われる前の状態である。
【００４３】
このような状態で加熱容器３４内に投入されている調理物が段々加熱されながら加熱容器３４の内部に蒸気圧が発生し且つ温度が上昇すると、感知片１４は徐々に熱膨張が起こる。
【００４４】
感知片１４が加熱されると、前述したように、互いに異なる熱膨張率を有する上／下部薄板１４ａ、１４ｂのうち上部薄板１４ａより下部薄板１４ｂにさらに大きい熱膨張が起こりながら、自動開閉具９に連結ピン１３で固定され且つ感知片１４の端部とピン１６で回動自在に結合している作動軸１５を上方に押し上げる力が発生する。
【００４５】
前述したように感知片１４が熱膨張しながら、作動軸１５側を上方に移動させようとする力が益々大きくなって限界点に到達すると、自動開閉具を引っ張る感知片１４の力より自動開閉具９を上方に移動させようとする補助ばね１０の弾性力が大きくなる。
【００４６】
感知片１４の引張力より補助ばね１０の弾性力が大きくなって、中空環棒８に定着されている補助ばね１０が復元されながら、自動開閉具９を上方に移動させ、蓋板１１によって密閉されていた蓋本体内２の貫通孔２ａが開放されながら、加熱容器３４内の蒸気を取っ手３の蒸気排出口６を介して迅速に排出し、調理物が溢れるのを防止することができる（図４参照）。
【００４７】
一方、本発明が適用された状態で栗、飯、サツマイモなどの調理物を調理するとき、自動開閉具９が自動的に昇降する作動を所望しないときは、自動開閉具９を固定した状態で調理物を調理すればよい。
【００４８】
すなわち、自動開閉具９を固定しようとするときには、自動開閉具９が上昇した状態で取っ手３のスライド溝１８に結合しているスライドストッパー１７を自動開閉具９の上側の内入溝１９（またはばね調節具２５に設けられている内入溝２５ａ）側に押し込んで自動開閉具９を取っ手３に堅く固定すればよい。
【００４９】
第２実施例によれば、前述したように取っ手３の昇降孔７に結合している自動開閉具９を手指で押圧すると、自動開閉具９に連結ピン１３によって固定されている作動軸１５が下方に移動する。
【００５０】
前述したように作動軸１５が下方に移動するとき、感知片１４は、熱膨張する前なので、図５のように梃子２０と弛緩した状態なので、固定板４の下部に回動自在に設置されているストッパー２２の一側端部が、作動軸１５の下端部に設けられている係止突起１５ａに係止される。
【００５１】
このようにストッパー２２の一側端部が作動軸１５の下端部に設けられている係止突起１５ａに係止された状態で、加熱容器３４内の調理物が加熱されて蒸気圧及び温度が上昇すると、感知片が梃子２０を押圧する。
【００５２】
すなわち、熱膨張率の高い上部薄板１４ａと熱膨張率の低い下部薄板１４ｂから構成されている感知片１４が熱膨張すると、熱膨張率の高い上部薄板１４ａの力が熱膨張率の低い下部薄板１４ｂ側に加えられるので、感知片１４に凸設した部分が梃子２０の端部を押圧する作動が行われる。
【００５３】
前述したように梃子２０が押圧されると、梃子２０の下側に突設されている押圧レバー２１がストッパー２２の後端を押圧して、作動軸１５の端部の係止突起１５ａに係止されているストッパー２２を回動させながら、係止突起１５ａとの弛緩作動が行われる。このようにストッパー２２が係止突起１５ａと弛緩すると、補助ばね１０の張力によって自動開閉具９が上方に移動し、貫通孔２ａを密閉している自動開閉具９の蓋板１１が開放されながら、加熱容器３４内の蒸気を取っ手３の蒸気排出口６を介して迅速に排出し、調理物が沸いて溢れるのを防止することができる（図６参照）。
【００５４】
そして、第３実施例によれば、自動開閉具９の作動安定性を保障しながらも構成を簡素化することができる。
【００５５】
すなわち、取っ手３の昇降孔７と自動開閉具９にそれぞれスライド突起７ａとスライド溝９ｂを設け、自動開閉具９が上下移動する過程で回動するおそれがないため、安定性のある作動を保障することができる。
【００５６】
昇降孔７の下端に設けられている受け部２３に定着される補助ばね１０が自動開閉具９の上端に定着された状態で調節スクリューバー２４によって結合するばね調節具２５に押圧されるように構成されているところ、調節スクリュー２４を解いたり締め付けたりする簡単な作動によって補助ばね１０の張力を簡便に調節することができるため、本発明の機能性をさらに高めることができる。
【００５７】
第４実施例ないし第５実施例は、自動開閉具９を昇降させる昇降手段１２で熱を加えるとき、磁力の約２０％を失ってから冷えた後磁力を回復する永久磁石２６によって行われるようにしたものである。以下、これらの作用について説明する。
【００５８】
すなわち、第４実施例によって本発明を構成した状態で取っ手３に結合している自動開閉具９を手指で押圧すると、図１１に示すように、補助ばね１０の弾支力が提供される自動開閉具９が下方に移動した状態で、自動開閉具９に固定されている温度感知用永久磁石２６が、蓋本体２（図１０、図１１、図１２）または蓋本体２の下方（図１３）に固着される固定板４に設置されている磁性体２７に付着して固定される。この際、永久磁石２６の磁力が補助ばね１０の弾支力より大きい力を持つので、自動開閉具９の蓋板１１は、蓋本体２に設けられている貫通孔２ａを密閉した状態を維持する（図１１参照）。
【００５９】
前述した状態で加熱容器３４内の調理物が加熱されながら蒸気圧及び温度が上昇するが、この際、永久磁石２６は益々磁力を一部喪失する（磁力の約２０％を喪失する）。
【００６０】
このように永久磁石２６の磁力が喪失されると、自動開閉具９に補助ばね１０の弾性力が永久磁石２６の磁力より大きい力で伝達されて自動開閉具９を上方に移動させ、貫通孔２ａを密閉している自動開閉具９の蓋板１１が開放されながら、加熱容器３４内の蒸気を、取っ手３に設けられている蒸気排出口６を介して迅速に排出し、調理物が沸いて溢れるのを防止することができるのである（図１２参照）。
【００６１】
そして、本発明の第５実施例に適用された技術構成は、前記各実施例に適用できるものであって、調理物の種類などによって自動開閉具９の作動時点を簡便に調節することができるものである。
【００６２】
すなわち、蓋本体２に設けられている貫通孔２ａを密閉する環状パッキング１１ａが結合した蓋板１１と一体に設けられている自動開閉具９を、取っ手２に設けられている昇降孔７に嵌合させるにおいて、自動開閉具９の外側には昇降孔７の下端に設けられている受け部２３に定着される補助ばね１０を被せ、自動開閉具９の上端外部にはネジ部２９を設け、下端に係止突起３０を有するばね調節具２５を螺合し、取っ手３の上方には、表面にばね押圧の度合いを肉眼で確認することが可能な表示部３２を備え且つ係止突起３０に対応する固定突起３３を設けた固定カバー３１を結合した構成なので、自動開閉具９の作動時点を調節しようとするときには、固定カバー３１に形成されている表示部３２を見ながらばね調節具２５を回動させると、自動開閉具９のネジ部２９に螺合されているばね調節具２５が昇降しながら補助ばね１０の弾性力を調節する。
【００６３】
本発明は、図１に示すように、加熱容器３４に適用可能なものであって、別に示してはいないが、内容物の種類によって鍋、薬缶、フライパン、釜または蒸し器などに様々に適用可能なものである。
【産業上の利用可能性】
【００６４】
以上述べたように構成及び作用される本明細書で提供する溢れ防止用容器蓋１は、蓋本体２に固定される取っ手３の内側に自動開閉具９を昇降可能に設置し、自動開閉具９を昇降させる昇降手段１２を、蓋本体２の下部に固定板４によって固定され且つ温度の変化に応じて一側に撓む性質を有する板ばねバイメタルからなる感知片１４によって自動開閉具９の昇降を自動的に制御されるように構成するか、或いは自動開閉具９と蓋本体２または固定板４にそれぞれ温度感知用永久磁石２６と磁性体２７を設置して加熱容器３４の内部温度の上昇の際に自動開閉具９の昇降を自動的に制御されるように構成したものであって、加熱容器３４内の水蒸気の排出を制御して加熱容器３４内の内容物の氾濫を防止するようにし、同時に溢れる内容物による加熱手段の毀損及び汚染を防止するようにし、ガス漏れまたは爆破などの安全事故を防ぐことができるなど期待以上の効果を提供する。
【００６５】
また、本発明は、昇降手段１２によって自動的に作動する自動開閉具の作動時点をばね調節具２５で簡便に調節することができるので、多様な調理物の調理に容易に適用することができる。
【図面の簡単な説明】
【００６６】
【図１】本発明の溢れ防止用容器蓋の使用状態を示す斜視図である。
【図２】本発明の好適な第1実施例を示す分解斜視図である。
【図３】自動開閉具が作動する前の状態を示す、本発明の第１実施例の断面図である。
【図４】自動開閉具が作動した後の状態を示す、本発明の第１実施例の断面図である。
【図５】自動開閉具が作動する前の状態を示す、本発明の第２実施例の断面図である。
【図６】自動開閉具が作動した後の状態を示す、本発明の第２実施例の断面図である。
【図７】本発明の第３実施例を示す分解斜視図である。
【図８】自動開閉具が作動する前の状態を示す、本発明の第３実施例の断面図である。
【図９】自動開閉具が作動した後の状態を示す、本発明の第３実施例の断面図である。
【図１０】本発明の好適な第４実施例を示す分解斜視図である。
【図１１】自動開閉具が作動する前の状態を示す、本発明の第４実施例の断面図である。
【図１２】自動開閉具が作動した後の状態を示す、本発明の第４実施例の断面図である。
【図１３】本発明の第４実施例の他の実施例を示す斜視図である。
【図１４】本発明の第４実施例の別の実施例を示す斜視図である。
【図１５】本発明の好適な第５実施例を示す分解斜視図である。
【図１６】自動開閉具が作動する前の状態を示す、本発明の第５実施例の断面図である。
【図１７】自動開閉具が作動した後の状態を示す、本発明の第５実施例の断面図である。
【図１】
2008500930.tif 000003
【図２】
2008500930.tif 000004
【図３】
2008500930.tif 000005
【図４】
2008500930.tif 000006
【図５】
2008500930.tif 000007
【図６】
2008500930.tif 000008
【図７】
2008500930.tif 000009
【図８】
2008500930.tif 000010
【図９】
2008500930.tif 000011
【図１０】
2008500930.tif 000012
【図１１】
2008500930.tif 000013
【図１２】
2008500930.tif 000014
【図１３】
2008500930.tif 000015
【図１４】
2008500930.tif 000016
【図１５】
2008500930.tif 000017
【図１６】
2008500930.tif 000018
【図１７】
2008500930.tif 000019
【国際調査報告】
2008500930.tif 000020
2008500930.tif 000021